(57)【特許請求の範囲】
【請求項１】
ドライブ・テストを最小化するための測定方法であって、
アクセス・ネットワーク機器が、ユーザ機器が報告したドライブ・テスト最小化（ＭＤＴ）レポートを受信するステップであって、前記ＭＤＴレポートがトレース制御エンティティ（ＴＣＥ）識別子を含む、ステップと、
前記アクセス・ネットワーク機器が、前記ＴＣＥ識別子に対応するＴＣＥアドレスを、前記ＴＣＥアドレスと前記ＴＣＥ識別子の間のマッピング関係に従って、または、前記ＴＣＥアドレスと前記ＴＣＥ識別子の間のマッピング・アルゴリズムに従って、取得するステップと、
前記アクセス・ネットワーク機器が、前記ＭＤＴレポートを前記ＴＣＥアドレスに対応するＴＣＥに送信するステップと、
を含む、方法。
【請求項２】
前記アクセス・ネットワーク機器が前記ユーザ機器により報告された前記ＭＤＴレポートを受信する前に、前記アクセス・ネットワーク機器が、前記ＴＣＥアドレスと前記ＴＣＥ識別子の間のマッピング関係または前記ＴＣＥアドレスと前記ＴＣＥ識別子の間のマッピング・アルゴリズムを取得するステップをさらに含む、請求項１に記載の方法。
【請求項３】
前記アクセス・ネットワーク機器が前記ユーザ機器により報告された前記ＭＤＴレポートを受信する前に、前記アクセス・ネットワーク機器が前記ＴＣＥ識別子を前記ユーザ機器に送信するステップをさらに含む、請求項１に記載の方法。
【請求項４】
前記アクセス・ネットワーク機器が前記ＴＣＥアドレスと前記ＴＣＥ識別子の間の前記マッピング関係または前記ＴＣＥアドレスと前記ＴＣＥ識別子の間の前記マッピング・アルゴリズムを取得するステップは、
前記アクセス・ネットワーク機器が、前記ＴＣＥアドレスと前記ＴＣＥ識別子の間の前記マッピング関係を、基地局またはセルの属性名付きＴＣＥアドレス情報リストから取得するステップ、
または、
前記アクセス・ネットワーク機器が、前記ＴＣＥアドレスと前記ＴＣＥ識別子の間の前記マッピング関係を、サブネットワークの属性名付きＴＣＥアドレス情報リストから取得するステップ、
または、
前記アクセス・ネットワーク機器が、要素マネージャ（ＥＭ）により送信された、前記ＴＣＥアドレスおよび前記ＴＣＥ識別子の間の前記マッピング関係または前記ＴＣＥアドレスおよび前記ＴＣＥ識別子の間の前記マッピング・アルゴリズムを受信するステップ、
または、
前記アクセス・ネットワーク機器が、局所的に格納された、前記ＴＣＥアドレスおよび前記ＴＣＥ識別子の間の前記マッピング関係または前記ＴＣＥアドレスおよび前記ＴＣＥ識別子の間の前記マッピング・アルゴリズムを読み取るステップ、
を含む、請求項２に記載の方法。
【請求項５】
前記ＥＭは、前記マッピング関係または前記マッピング・アルゴリズムを、北向きインタフェースＩｔｆ−Ｎを介してネットワーク・マネージャ（ＮＭ）から取得する、請求項４に記載の方法。
【請求項６】
ドライブ・テストを最小化するための測定装置であって、
ユーザ機器により報告されたドライブ・テスト最小化ＭＤＴレポートを受信するように構成された受信ユニットであって、前記ＭＤＴレポートがトレース制御エンティティＴＣＥ識別子を含む、受信ユニットと、
前記ＴＣＥ識別子に対応するＴＣＥアドレスを、前記ＴＣＥアドレスおよび前記ＴＣＥ識別子の間のマッピング関係または前記ＴＣＥアドレスおよび前記ＴＣＥ識別子の間のマッピング・アルゴリズムに従って取得するように構成された、取得ユニットと、
前記ＭＤＴレポートを前記ＴＣＥアドレスに対応するＴＣＥに送信するように構成された送信ユニットと、
を備える、測定装置。
【請求項７】
前記取得ユニットはさらに、前記ＴＣＥアドレスおよび前記ＴＣＥ識別子の間の前記マッピング関係または前記ＴＣＥアドレスおよび前記ＴＣＥ識別子の間の前記マッピング・アルゴリズムを取得するように構成された、請求項６に記載の装置。
【請求項８】
前記送信ユニットはさらに、前記ＴＣＥ識別子を前記ユーザ機器に送信するように構成された、請求項６に記載の装置。
【請求項９】
前記取得ユニットは、
前記ＴＣＥアドレスおよび前記ＴＣＥ識別子の間の前記マッピング関係を基地局またはセルの属性名付きＴＣＥアドレス情報リストから取得するように構成された、第１の取得サブユニット、
または、
前記ＴＣＥアドレスおよび前記ＴＣＥ識別子の間の前記マッピング関係をサブネットワークの属性名付きＴＣＥアドレス・マッピング情報リストから取得するように構成された、第２の取得サブユニット、
または、
要素マネージャ（ＥＭ）が送信した、前記ＴＣＥアドレスおよび前記ＴＣＥ識別子の間の前記マッピング関係または前記ＴＣＥアドレスおよび前記ＴＣＥ識別子の間の前記マッピング・アルゴリズムを取得するように構成された第３の取得サブユニット、
または、
局所的に格納された、前記ＴＣＥアドレスおよび前記ＴＣＥ識別子の間の前記マッピング関係または前記ＴＣＥアドレスおよび前記ＴＣＥ識別子の間の前記マッピング・アルゴリズムを読み取るように構成された第４の取得サブユニット、
を備える、請求項７に記載の装置。
【請求項１０】
前記ＥＭは、前記マッピング関係または前記マッピング・アルゴリズムを、北向きインタフェースＩｔｆ−Ｎを介してネットワーク・マネージャ（ＮＭ）から取得する、請求項９に記載の装置。
【請求項１１】
請求項６乃至１０の何れかに記載のドライブ・テストを最小化するための測定装置を備えた、ドライブ・テストを最小化するための測定システム。
【請求項１２】
ドライブ・テストを最小化するための測定方法であって、
ユーザ機器がドライブ・テスト最小化（ＭＤＴ）レポートをアクセス・ネットワーク機器に報告するステップであって、前記ＭＤＴレポートがトレース制御エンティティ（ＴＣＥ）識別子を含み、
前記アクセス・ネットワーク機器が前記ＴＣＥ識別子を用いて、前記ＴＣＥアドレスおよび前記ＴＣＥ識別子の間のマッピング関係または前記ＴＣＥアドレスおよび前記ＴＣＥ識別子の間のマッピング・アルゴリズムに従って前記ＴＣＥ識別子に対応するＴＣＥアドレスを取得し、前記アクセス・ネットワーク機器が前記ＴＣＥ識別子を用いて、前記ＭＤＴレポートを前記ＴＣＥアドレスに対応するＴＣＥに送信する、ステップを含む、方法。
【請求項１３】
前記ユーザ機器が前記ＭＤＴレポートを前記アクセス・ネットワーク機器に報告する前に、前記ユーザ機器が前記アクセス・ネットワーク機器によって送信された前記ＴＣＥ識別子を受信するステップをさらに含む、請求項１２に記載の方法。
【請求項１４】
ドライブ・テスト最小化ＭＤＴレポートをアクセス・ネットワーク機器に報告するように構成された報告ユニットであって、前記ＭＤＴレポートがトレース制御エンティティＴＣＥ識別子を含み、前記アクセス・ネットワーク機器が前記ＴＣＥ識別子を用いて、前記ＴＣＥアドレスおよび前記ＴＣＥ識別子の間のマッピング関係または前記ＴＣＥアドレスおよび前記ＴＣＥ識別子の間のマッピング・アルゴリズムに従って前記ＴＣＥ識別子に対応するＴＣＥアドレスを取得し、前記アクセス・ネットワーク機器が前記ＴＣＥ識別子を用いて、前記ＭＤＴレポートを前記ＴＣＥアドレスに対応するＴＣＥに送信する、報告ユニットを備えたユーザ機器。
【請求項１５】
前記報告ユニットが前記ＭＤＴレポートを前記アクセス・ネットワーク機器に報告する前に、前記アクセス・ネットワーク機器が送信した前記ＴＣＥ識別子を受信するように構成された受信ユニットをさらに備える、請求項１４に記載のユーザ機器。
【請求項１６】
プログラムを記録したコンピュータ読取可能記憶媒体であって、前記プログラムが請求項１乃至５の何れか１項に記載の方法をコンピュータに実行させる、コンピュータ読取可能記憶媒体。
【請求項１７】
プログラムを記録したコンピュータ読取可能記憶媒体であって、前記プログラムが請求項１２または１３に記載の方法をコンピュータに実行させる、コンピュータ読取可能記憶媒体。
【発明の詳細な説明】
【技術分野】
【０００１】
本出願は、発明の名称を「ドライブ・テストを最小化するための測定方法、装置、およびシステム」とした、２０１１年１月１０日に中華人民共和国国家知識産権局に出願された中国特許出願第２０１１１０００４０３９．７号に対する優先権を主張し、本明細書において、引用によりその全体を取り込む。
【０００２】
本発明は、通信技術の分野に関し、特に、ドライブ・テストの最小化の技術に関する。
【背景技術】
【０００３】
ネットワーク運用者は、従来型のネットワークの運用と保守においてドライブ・テストを実施するために、多大な人手と金銭を投資する必要がある。さらに、従来型のドライブ・テスト端末では一部の条件下では屋内に到達することができない場合がある。また、従来型のドライブ・テストを何らかの突発的なネットワーク状況で記録することは難しい。ＭＤＴ（Ｍｉｎｉｍｉｚａｔｉｏｎ  ｏｆ  Ｄｒｉｖｅ  Ｔｅｓｔｓ、ドライブ・テストの最小化）は、運用者がネットワークを構築し、その後保守する際に実施する従来型のドライブ・テストの作業を軽減し、従来型のドライブ・テストでは解決できなかった課題に取り組むための新規なＵＥ（Ｕｓｅｒ  Ｅｑｕｉｐｍｅｎｔ、ユーザ機器）を導入することを目的とする。ＭＤＴはＵＥに対し、接続状態およびアイドル状態におけるＵＥの何らかの時点のネットワーク状況と場所を記録してそれらを正しい時点でネットワークに報告することを要求し、それにより、従来型のドライブ・テストにおける作業の一部を置き換える。
【０００４】
現在のＭＤＴは２つのカテゴリ、即ち、Ｉｍｍｅｄｉａｔｅ  ＭＤＴ（即時ＭＤＴ）およびＬｏｇｇｅｄ  ＭＤＴ（ログＭＤＴ）に分けられる。即時ＭＤＴとは、ネットワークがＲＲＣ（Ｒａｄｉｏ  Ｒｅｓｏｕｒｃｅ  Ｃｏｎｔｒｏｌ、無線リソース制御）に従ってＭＤＴ構成をＵＥに対して実施し、ＵＥが接続状態で測定を行って結果を即時に報告するというＭＤＴ方式である。ログＭＤＴとは、ネットワーク側がＭＤＴ構成をＵＥに対して行い、ＵＥがアイドル状態に移行してＭＤＴの測定とログ取得を行い、接続状態に移行した後にＭＤＴｌｏｇ（ＭＤＴログ）の報告を行うというＭＤＴ方式である。
【０００５】
現在の３ＧＰＰ（Ｔｈｉｅｒｄ  Ｇｅｎｅｒａｔｉｏｎ  Ｐａｒｔｎｅｒｓｈｉｐ  Ｐｒｏｊｅｃｔ、第三世代パートナシップ・プロジェクト）標準では、現行のトレース（ｒｔｒａｃｅ）機能を拡張してＭＤＴ測定を実装している。ネットワーク管理システムはＭＤＴの関連パラメータをトレース・コマンドで構成し、それらをｅＮＢ（Ｅｖｏｌｖｅｄ  ＮｏｄｅＢ）またはＲＮＣ（Ｒａｄｉｏ  Ｎｅｔｗｏｒｋ  Ｃｏｎｔｒｏｌｌｅｒ、無線ネットワーク制御装置）に送信する。上記のＭＤＴの関連パラメータには、トレース参照（Ｔｒａｃｅ  ｒｅｆｅｒｅｎｃｅ）とＴＣＥ（Ｔｒａｃｅ  ｃｏｎｔｒｏｌ  ｅｎｔｉｔｙ）のＩＰアドレスが含まれる。ＭＤＴ測定を実施した後、ＵＥはＭＤＴレポートをｅＮＢまたはＲＮＣに報告し、ｅＮＢまたはＲＮＣが当該ＭＤＴレポートをＴＣＥのＩＰアドレスに従ってＴＣＥに送信してドライブ・テストを完了する。ＵＥが測定をアイドル状態で行う場合は、トレース参照とＴＣＥのＩＰアドレスを、無線インタフェースを介してネットワーク側でＵＥに対して構成する必要があり、その結果、ＭＤＴレポートを報告するとき、ＵＥはＴＣＥのＩＰアドレスを運搬することができ、それにより、ｅＮＢまたはＲＮＣが対応するＴＣＥを見つけることができるようになる。別の技術では、ｅＮＢまたはＲＮＣがトレース参照をＵＥに対してのみ構成する。ＵＥがトレース・レポートおよびＭＤＴレポートを報告した後、ｅＮＢまたはＲＮＣは、トレース参照に従って対応するＴＥＣのＩＰアドレスを局所的に検索する。ｅＮＢまたはＲＮＣがＩＰアドレスを検索できなかった場合は、ｅＮＢまたはＲＮＣはＮＭ（Ｎｅｔｗｏｒｋ  Ｍａｎａｇｅｒ、ネットワーク・マネージャ）エンティティにＴＣＥのＩＰアドレスを問い合わせることができる。
【発明の概要】
【発明が解決しようとする課題】
【０００６】
しかし、トレース参照およびＴＣＥのＩＰアドレスをＵＥに対して直接的に構成すると安全上の問題が生ずるおそれがある。なぜならば、いったん不正なＵＥがＴＣＥのＩＰアドレスを横取りして、ＴＣＥの場所を特定し、運用者のＴＣＥを直接攻撃すると、運用者のネットワークに安全性の危険が潜むことになるおそれがあるからである。しかし、トレース参照がＵＥに対してのみ構成される場合は、ｅＮＢまたはＲＮＣは、どのＮＭに対してｅＮＢまたはＲＮＣがＴＣＥのＩＰアドレスを要求すべきかを判定することができず、そのため、ネットワークの信号のやり取りおよびネットワーク処理の複雑度が増す。
【課題を解決するための手段】
【０００７】
先行技術の問題を解決するために、本発明の１態様では、ドライブ・テストを最小化するための測定方法を提供する。本方法は、アクセス・ネットワーク機器が、ユーザ機器が報告したドライブ・テスト最小化ＭＤＴレポートを受信するステップであって、当該ＭＤＴレポートがトレース制御エンティティＴＣＥ識別子を含む、ステップと、当該アクセス・ネットワーク機器が、当該ＴＣＥ識別子に対応するＴＣＥアドレスを、当該ＴＣＥアドレスと当該ＴＣＥ識別子の間のマッピング関係または当該ＴＣＥアドレスと当該ＴＣＥ識別子の間のマッピング・アルゴリズムに従って、取得するステップと、当該アクセス・ネットワーク機器が、当該ＭＤＴレポートを当該ＴＣＥアドレスに対応するＴＣＥに送信するステップと、を含む。
【０００８】
別の態様では、本発明は、ドライブ・テストを最小化するための測定装置を提供する。本装置は、ユーザ機器により報告されたドライブ・テスト最小化ＭＤＴレポートを受信するように構成された受信ユニットであって、当該ＭＤＴレポートがトレース制御エンティティＴＣＥ識別子を含む、受信ユニットと、当該ＴＣＥ識別子に対応するＴＣＥアドレスを、当該ＴＣＥアドレスと当該ＴＣＥ識別子の間のマッピング関係または当該ＴＣＥアドレスと当該ＴＣＥ識別子の間のマッピング・アルゴリズムに従って取得するように構成された、取得ユニットと、当該ＭＤＴレポートを当該ＴＣＥアドレスに対応するＴＣＥに送信するように構成された送信ユニットと、を備える、
【０００９】
さらに別の態様では、本発明はさらに、ドライブ・テストを最小化するための測定装置を含む、ドライブ・テストを最小化するための測定システムを提供する。
【００１０】
さらに別の態様では、本発明はさらに、ドライブ・テストを最小化するための測定方法を提供する。本方法は、ユーザ機器がドライブ・テスト最小化ＭＤＴレポートをアクセス・ネットワーク機器に報告するステップであって、当該ＭＤＴレポートがトレース制御エンティティＴＣＥ識別子を含み、当該アクセス・ネットワーク機器が当該ＴＣＥ識別子を用いて、当該ＴＣＥアドレスと当該ＴＣＥ識別子の間のマッピング関係または当該ＴＣＥアドレスと当該ＴＣＥ識別子の間のマッピング・アルゴリズムに従って当該ＴＣＥ識別子に対応するＴＣＥアドレスを取得し、当該ＭＤＴレポートを当該ＴＣＥアドレスに対応するＴＣＥに送信する、ステップを含む。
【００１１】
さらに別の態様では、本発明はさらにユーザ機器を提供する。当該ユーザ機器は、ドライブ・テスト最小化ＭＤＴレポートをアクセス・ネットワーク機器に報告するように構成された報告ユニットであって、当該ＭＤＴレポートがトレース制御エンティティＴＣＥ識別子を含み、当該アクセス・ネットワーク機器が当該ＴＣＥ識別子を用いて、当該ＴＣＥアドレスと当該ＴＣＥ識別子の間のマッピング関係または当該ＴＣＥアドレスと当該ＴＣＥ識別子の間のマッピング・アルゴリズムに従って当該ＴＣＥ識別子に対応するＴＣＥアドレスを取得し、当該ＭＤＴレポートを当該ＴＣＥアドレスに対応するＴＣＥに送信する、報告ユニットを備える。
【００１２】
上記の技術的な解決策では、ＴＣＥアドレスとＴＣＥ識別子の間のマッピング関係を取得することによって、および、ＵＥが報告したＭＤＴレポートに含まれるＴＣＥ識別子に従って、対応するＴＣＥアドレスが取得され、ＭＤＴレポートがＴＣＥアドレスに対応するＴＣＥに送信されて、測定が完了する。測定中は、ＴＣＥの実際のネットワーク・アドレスをＵＥに送信する必要はなく、これにより、安全性が向上し、ＴＣＥのＩＰアドレスをＵＥに送信するときの先行技術におけるＭＤＴ測定の危険性問題が解決される。当該技術的な解決策は単純で、好便で、実装が容易であり、かつ、ネットワークの信号のやり取りとネットワーク処理の複雑性を軽減するものである。
【図面の簡単な説明】
【００１３】
【図１】本発明の実施形態１に従うドライブ・テストの最小化の測定方法の流れ図である。
【図２】本発明の実施形態２に従うドライブ・テストの最小化の測定方法の流れ図である。
【図３】本発明の実施形態２に従うＭＤＴ測定の概略的な流れ図である。
【図４】本発明の実施形態３に従うドライブ・テストの最小化の測定装置の構造図である。
【発明を実施するための形態】
【００１４】
本発明の目的、技術的な解決策、および利点をより理解できるようにするために、以下では、さらに本発明の諸実施形態を添付図面を参照して詳細に説明する。
実施形態１
【００１５】
図１を参照すると、本実施形態は、ドライブ・テストを最小化するための測定方法を提供し、以下の内容を含む。
【００１６】
１０１：アクセス・ネットワーク機器がＵＥによって報告されたＭＤＴレポートを受信する。ここで、当該ＭＤＴレポートはＴＣＥ識別子を含む。
【００１７】
１０２：アクセス・ネットワーク機器が、ＴＣＥアドレスとＴＣＥ識別子の間のマッピング関係またはＴＣＥアドレスとＴＣＥ識別子の間のマッピング・アルゴリズムに従って、ＴＣＥ識別子に対応するＴＣＥアドレスを取得する。
【００１８】
１０３：アクセス・ネットワーク機器が、ＭＤＴレポートをＴＣＥアドレスに対応するＴＣＥに送信する。
【００１９】
本発明の本実施形態では、アクセス・ネットワーク機器は基地局または基地局制御装置を備え、例えば、ＬＴＥ（Ｌｏｎｇ  Ｔｅｒｍ  Ｅｖｏｌｕｔｉｏｎ、ロング・ターム・エボリューション）システムにおけるｅＮＢまたはＲＮＣを備えてもよい。
【００２０】
場合によっては、アクセス・ネットワーク機器がＵＥによって報告されたＭＤＴレポートを受信する前に、アクセス・ネットワーク機器がＴＣＥ識別子をＵＥに送信してもよい。アクセス・ネットワーク機器が先ずＴＣＥアドレスとＴＣＥ識別子の間のマッピング関係、または、ＴＣＥアドレスとＴＣＥ識別子の間のマッピング・アルゴリズムを取得してもよい。
【００２１】
場合によっては、アクセス・ネットワーク機器がＴＣＥアドレスとＴＣＥ識別子の間のマッピング関係を取得するための方法が、ＴＣＥアドレスとＴＣＥ識別子の間のマッピング関係を基地局またはセルの属性名付きＴＣＥアドレス情報リストから取得するか、または、ＴＣＥアドレスとＴＣＥ識別子の間のマッピング関係をサブネットワークの属性名付きＴＣＥアドレス・マッピング情報リストから取得するステップを含んでもよい。
【００２２】
場合によっては、アクセス・ネットワーク機器がＴＣＥアドレスとＴＣＥ識別子の間のマッピング関係またはＴＣＥアドレスとＴＣＥ識別子の間のマッピング・アルゴリズムを取得するステップが、アクセス・ネットワーク機器がＥＭ（Ｅｌｅｍｅｎｔ  Ｍａｎａｇｅｒ、要素マネージャ）により送信されたＴＣＥアドレスとＴＣＥ識別子の間のマッピング関係またはＴＣＥアドレスとＴＣＥ識別子の間のマッピング・アルゴリズムを受信するステップ、または、アクセス・ネットワーク機器が局所的に格納されたＴＣＥアドレスとＴＣＥ識別子の間のマッピング関係またはＴＣＥアドレスとＴＣＥ識別子の間のマッピング・アルゴリズムを読み取るステップを含む。
【００２３】
場合によっては、ＴＣＥアドレスとＴＣＥ識別子の間のマッピング関係、またはＴＣＥアドレスとＴＣＥ識別子の間のマッピング・アルゴリズムが、ＥＭにより北向きインタフェースＩｔｆ−Ｎ（Ｉｎｔｅｒｆａｃｅ  Ｎｏｒｔｈｂｏｕｎｄ）を介してＮＭから取得される。
【００２４】
本実施形態で提供する方法では、ＴＣＥアドレスとＴＣＥ識別子の間のマッピング関係またはＴＣＥアドレスとＴＣＥ識別子の間のマッピング・アルゴリズムを取得することによって、および、ＵＥによって報告されたＭＤＴレポートに含まれるＴＣＥ識別子に従って、対応するＴＣＥアドレスが取得され、ＭＤＴレポートが当該ＴＣＥアドレスに対応するＴＣＥに送信される。ＭＤＴ測定中は、ＴＣＥの実際のネットワーク・アドレスをＵＥに送信する必要はなく、これにより、安全性が向上し、ＴＣＥのＩＰアドレスをＵＥに送信するときの先行技術におけるＭＤＴ測定の危険性問題が解決される。当該方法は単純で、好便で、実装が容易であり、かつ、ネットワークの信号のやり取りとネットワーク処理の複雑性を軽減するものである。
実施形態２
【００２５】
図２を参照すると、本実施形態は、ドライブ・テストを最小化するための測定方法を提供し、以下の内容を含む。
【００２６】
２０１：アクセス・ネットワーク機器が、ＴＣＥアドレスとＴＣＥ識別子の間のマッピング関係またはＴＣＥアドレスとＴＣＥ識別子の間のマッピング・アルゴリズムを取得する。
【００２７】
本実施形態におけるＴＣＥアドレスに関して、ＴＣＥのＩＰアドレスを簡潔に例として説明する。本実施形態では、各ＴＣＥ識別子はＴＣＥを特定することのみが可能である。具体的には、ＴＣＥアドレスに固定の番号を割り当ててもよい。例えば、１００個のＴＣＥがネットワークに存在する場合、当該１００個のＴＣＥのＩＰアドレスの各々に、対応する一意な固定の番号を割り当てて、ＴＣＥのＩＰアドレスと当該番号の間のマッピング関係を確立する。
【００２８】
具体的には、上のステップにおいてＴＣＥアドレスとＴＣＥ識別子の間のマッピング関係を取得することを、以下の２つの実装方法のうち任意の１つにより実現してもよい。
ａ）ＴＣＥアドレスとＴＣＥ識別子の間のマッピング関係を基地局またはセルの属性名付きＴＣＥアドレス情報リストから取得する。
ｂ）ＴＣＥアドレスとＴＣＥ識別子の間のマッピング関係をサブネットワークの属性名付きＴＣＥアドレス・マッピング情報リストから取得する。
【００２９】
２０２：アクセス・ネットワーク機器が、ＴＣＥアドレスに対応するＴＣＥ識別子をＵＥに送信する。
【００３０】
２０３：ＵＥがＭＤＴ測定を実施するとき、アクセス・ネットワーク機器がＵＥによって報告されたＭＤＴレポートを受信する。この場合、当該ＭＤＴレポートがＴＣＥ識別子を含む。
【００３１】
２０４：アクセス・ネットワーク機器が、上記マッピング関係または上記マッピング・アルゴリズムに従って、当該ＴＣＥ識別子に対応するＴＣＥアドレスを取得する。
【００３２】
２０５：アクセス・ネットワーク機器が、ＭＤＴレポートを当該ＴＣＥアドレスに対応するＴＣＥに送信する。
【００３３】
場合によっては、本実施形態では、アクセス・ネットワーク機器により取得されるＴＣＥアドレスとＴＣＥ識別子の間のマッピング関係またはＴＣＥアドレスとＴＣＥ識別子の間のマッピング・アルゴリズムが、以下のうち任意の１つを含む。
ａ）アクセス・ネットワーク機器が、ＥＭによって送信された、ＴＣＥアドレスとＴＣＥ識別子の間のマッピング関係またはＴＣＥアドレスとＴＣＥ識別子の間のマッピング・アルゴリズムを受信する。
ｂ）アクセス・ネットワーク機器が、局所的に格納された、ＴＣＥアドレスとＴＣＥ識別子の間のマッピング関係またはＴＣＥアドレスとＴＣＥ識別子の間のマッピング・アルゴリズムを読み取る。
【００３４】
上述のマッピング関係またはマッピング・アルゴリズムを、ＥＭにより、ネットワーク管理の北向きインタフェースＩｔｆ−Ｎを介してネットワーク・マネージャＮＭから取得する。例えば、ＮＭが、Ｉｔｆ−Ｎインタフェースを介してＥＭに対するマッピング関係を構成し、ＥＭを介してｅＮＢまたはＲＮＣに対するマッピング関係を構成する。ｅＮＢまたはＲＮＣは、ＵＥに対してＴＣＥ  ＩＰに対応するＴＣＥ識別子を構成する。ＵＥは、ＭＤＴレポートを報告するときにＴＣＥ識別子を運搬する。ｅＮＢまたはＲＮＣは、当該ＴＣＥ識別子に従って対応する実際のＴＣＥのＩＰアドレスを発見し、当該実際のＴＣＥのＩＰアドレスに従ってＭＤＴレポートをＴＣＥに送信する。
【００３５】
３ＧＰＰネットワーク管理システムでは、Ｉｔｆ−Ｎは、ネットワークおよびネットワーク管理システムの間のインタフェースであり、具体的には、ＮＭおよびＥＭの間のインタフェースであってもよい。Ｉｔｆ−Ｂは基地局とその管理ユニットの間のインタフェースであり、Ｉｔｆ−ＲはＲＮＣとその管理ユニットの間のインタフェースである。例えば、図３を参照すると、図３はＩｔｆ−ＮがＮＭとＥＭの間のインタフェースの役割を果たしていることを示す。ＥＭは、Ｉｔｆ−Ｎを介してＴＣＥのＩＰアドレスとＴＣＥ識別子の間のマッピング関係またはマッピング・アルゴリズムを構成する。(i)は、ＥＭが一貫してＴＣＥのＩＰアドレスとＴＣＥ識別子の間のマッピング・アルゴリズムまたはマッピング関係、およびＴＣＥのＩＰアドレスを、ｅＮＢ／ＲＮＣ１およびｅＮＢ／ＲＮＣ２に対して構成することを示す。(ii)は、ｅＮＢ／ＲＮＣが、ＵＥに対して、マップされたＴＣＥ識別子、または、マッピング・アルゴリズムに従って計算された結果のみを構成することを示す。(iii)は、ＭＤＴレポートを報告するときに、ＵＥがＴＣＥ識別子と計算結果をフィードバックすることを示す。(iv)は、ｅＮＢ／ＲＮＣがＴＣＥ識別子を当該マッピング関係に従って実際のＴＣＥのＩＰアドレスに変換するか、または、当該計算結果を当該マッピング・アルゴリズムに従って当該実際のＴＣＥのＩＰアドレスに変換し、対応するＭＤＴレポートを当該ＴＣＥのＩＰアドレスに対応するＴＣＥに送信することを示す。
【００３６】
別の例として、ＥＭがＩｔｆ−Ｎインタフェースを介してコマンドを伝送するとき、ＥＭは運用者が規定した、ＴＣＥ識別子とＴＣＥアドレスの間のマッピング関係またはマッピング・アルゴリズムを取得し、ＥＭは当該マッピング関係またはマッピング・アルゴリズムを、ＭＤＴに対応するｅＮＢ／セル／ＲＮＣに対して構成してもよい。ｅＮＢ／セル／ＲＮＣはまた、問合せ要求をＥＭに送信することによりマッピング関係またはマッピング・アルゴリズムを取得してもよい。あるいは、マッピング関係またはマッピング・アルゴリズムをｅＮＢ／セル／ＲＮＣに固定的に格納する。ＭＤＴがタスクを起動するとき、ｅＮＢ／セル／ＲＮＣは、ＴＣＥのＩＰアドレスを直接伝送するのではなく、ＴＣＥ識別子またはマップされた計算結果をログＭＤＴのＵＥに伝送する。ＭＤＴが報告したデータを受信すると、ｅＮＢ／セル／ＲＮＣはＴＣＥ識別子またはマップされた計算結果を報告されたデータから取得し、それにより、どのＴＣＥアドレス（たとえば、ＩＰアドレス）にデータを転送する必要があるかを取得し、ｅＮＢ／セル／ＲＮＣがＭＤＴデータを報告する時に当該ＭＤＴデータが確実に対応するＴＣＥに報告されるようにする。ネットワーク側およびＵＥは実際のＴＣＥのＩＰアドレスではなく、ＴＣＥ識別子またはマップされた計算結果のみを送信し、それにより、ＭＤＴ測定の安全性を保証する。
【００３７】
以下の例は、ｅＮＢ、セル、またはサブネットワークの属性における、ＴＣＥアドレスとＴＣＥ識別子の間のマッピング関係の新たに追加された属性定義のプロセスを説明するために提供したものである。
【００３８】
１．ｅＮＢの属性
【００３９】
基地局の機能（ＥＮＢＦｕｎｃｔｉｏｎ）に基づく構成パラメータを、既存の３ＧＰＰ  ＴＳ  ３２．７６２に追加する。例えば、任意的な実施形態として、属性名付きＴＣＥのＩＰアドレス情報リスト（ＴＣＥＩｐＡｄｄｒｅｓｓＩｎｆｏＬｉｓｔ）を基地局の機能（ＥＮＢＦｕｎｃｔｉｏｎ）に関する節において属性（Ａｔｔｒｉｂｕｔｅｓ）に追加してもよい。表１を参照。
【００４０】
【表１】
0005571857.tif 000002
【００４１】
ここで、ＴＣＥのＩＰアドレス情報リスト（ＴＣＥＩｐＡｄｄｒｅｓｓＩｎｆｏＬｉｓｔ）は新たに追加された属性名付きＴＣＥのＩＰアドレス情報リストであり、読取り可能かつ書込み可能である（Ｍは、必須であることを意味する）。特定の状況下では、当該属性は必須（ＣＭ）である。当該特定の状況を、属性制約（Ａｔｔｒｉｂｕｔｅ  ｃｏｎｓｔｒａｉｎｔｓ）によって定義してもよい。表２を参照。
【００４２】
【表２】
0005571857.tif 000003
【００４３】
ＴＣＥのＩＰアドレス情報リストというフィールドが、「ＭＤＴ機能がサポートされている」という状況下でのみ適用可能であると明記しておく。
【００４４】
さらに、別の任意の実施形態として、属性名付きＴＣＥのＩＰアドレス情報リスト（ＴＣＥＩｐＡｄｄｒｅｓｓＩｎｆｏＬｉｓｔ）を、３ＧＰＰ  ＴＳ  ３２．７６２における属性定義および規定値（Ａｔｔｒｉｂｕｔｅｓ  ｄｅｆｉｎｉｔｉｏｎｓ  ａｎｄ  ｌｅｇａｌ  ｖａｌｕｅｓ）に関する節で定義してもよい。表３を参照。
【００４５】
【表３】
0005571857.tif 000004
【００４６】
ＴＣＥのＩＰアドレス情報リストという属性（ＴＣＥＩｐＡｄｄｒｅｓｓＩｎｆｏＬｉｓｔ）は、ＴＣＥのＩＰアドレスとＴＣＥ識別子の間のマッピング関係を定義するために用いられる。このパラメータが、ネットワーク管理システムによるｅＮＢ／ＲＮＣに対する構成パラメータとしての役割を果たしてもよい。構成中は、属性ＴＣＥＩｐＡｄｄｒｅｓｓＩｎｆｏＬｉｓｔをＮＭからＥＭに送信して、運用者がＴＣＥのＩＰアドレスとＴＣＥ識別子の間のマッピング関係を関連するネットワーク要素に対して規定できるようにする。それに加えて、当該フィールドは、ＭＤＴ機能がサポートされる状況下でのみ適用可能であると明記しておく。
【００４７】
２．セルの属性
【００４８】
Ｉｔｆ−Ｎインタフェースを介して伝送されたＴＣＥのＩＰアドレスと一意なＴＣＥ識別子の間のマッピング関係を、セル・オブジェクトに対して設定してもよい。例えば、既存の３ＧＰＰ  ＴＳ  ３２．７６２標準のセルＥＵｔｒａｎＧｅｎｅｒｉｃＣｅｌｌに関する節においては、ＴＣＥのＩＰアドレス情報リストの属性（ＴＣＥＩｐＡｄｄｒｅｓｓＩｎｆｏＬｉｓｔ）が当該セルの属性に追加される。表４を参照。
【００４９】
【表４】
0005571857.tif 000005
【００５０】
ＴＣＥのＩＰアドレスと一意なＴＣＥ識別子の間のマッピング関係は、ＴＣＥＩｐＡｄｄｒｅｓｓＩｎｆｏＬｉｓｔフィールドで設定される。構成コマンドを受信した後、ＥＭが、運用者が規定したＴＣＥアドレスとＴＣＥ識別子の間のマッピング関係を取得してもよい。
【００５１】
３．サブネットワークの属性
【００５２】
Ｉｔｆ−Ｎインタフェースを介して伝送されたＴＣＥのＩＰアドレスと一意なＴＣＥ識別子の間のマッピング関係を、サブネットワーク（Ｓｕｂｎｅｔｗｏｒｋ）のオブジェクトに対して設定してもよい。例えば、既存の３ＧＰＰ  ＴＳ  ３２．６２２標準では、Ｓｕｂｎｅｔｗｏｒｋに基づく構成パラメータが追加される。具体的には、属性名付きＴＣＥのＩＰアドレス・マッピング情報リスト（ＴＣＥＩｐａｄｄｒｅｓｓＭａｐｐｉｎｇＩｎｆｏＬｉｓｔ）をＳｕｂｎｅｔｗｏｒｋの属性（Ａｔｔｒｉｂｕｔｅｓ）に追加してもよい。表５を参照。
【００５３】
【表５】
0005571857.tif 000006
【００５４】
ＴＣＥのＩＰアドレス・マッピング情報リストの属性（ＴＣＥＩｐａｄｄｒｅｓｓＭａｐｐｉｎｇＩｎｆｏＬｉｓｔ）は、ＴＣＥのＩＰアドレスとＴＣＥ識別子の間のマッピング関係、および当該マッピング関係に対応する基地局を定義する。
【００５５】
場合によっては、当該ＴＣＥのＩＰアドレス・マッピング情報リストの属性を、３ＧＰＰ  ＴＳ  ３２．６２２標準の定義および規定値（Ｄｅｆｉｎｉｔｉｏｎ  ａｎｄ  ｌｅｇａｌ  ｖａｌｕｅｓ）に関する節で定義してもよい。表６を参照。
【００５６】
【表６】
0005571857.tif 000007
【００５７】
ＴＣＥのＩＰアドレス・マッピング情報リストの属性（ＴＣＥＩｐａｄｄｒｅｓｓＭａｐｐｉｎｇＩｎｆｏＬｉｓｔ）の定義は、｛ｅＮｏｄｅＢ、ＴＣＥアドレス情報リスト（ＴＣＥのＩＰアドレスとＴＣＥ識別子の間のマッピング関係を定義）を含む。例えば、規定されたマッピング関係を、ｅＮｏｄｅＢのＩＤを規定することによって、指定のｅＮｏｄｅＢに対して構成するか、または、指定のｅＮｏｄｅＢに固定的に格納する。
【００５８】
本実施形態では、ＴＣＥアドレスとＴＣＥ識別子のマッピング・アルゴリズムはＴＣＥアドレスとＴＣＥ識別子の間のマッピング・アルゴリズムであり、当該マッピング・アルゴリズムによれば、一意なＴＣＥ識別子がＴＣＥアドレスを計算することによって得られる。可逆的に、ＴＣＥアドレスをＴＣＥ識別子に従って計算し取得してもよい。したがって、ＵＥによって報告されたＭＤＴレポートをＴＣＥアドレスに対応するＴＣＥに送信することができ、それにより、実際のＴＣＥのＩＰアドレスをＵＥに送信することが回避され、安全性が向上する。
【００５９】
基地局は、一意なマッピング・アルゴリズムに従ってＴＣＥのＩＰアドレスを処理してもよい。例えば、ネットワークに１００個のＴＣＥがある場合、当該１００個のＴＣＥのＩＰアドレスの各々がプラス５かつモジュロ２である。次に、対応するマッピング・アルゴリズムが一貫してｅＮＢまたはＲＮＣに対してＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ、運用管理保守）システムにより構成され、ｅＮＢまたはＲＮＣがＵＥに対して計算結果を構成する。ＭＤＴレポートを報告するとき、ＵＥが当該結果を運搬し、これにより、ｅＮＢまたはＲＮＣがマッピング・アルゴリズムに従ってＴＣＥのＩＰアドレスを計算し対応する実際のＴＣＥを発見することができる。本発明の本実施形態では、マッピング・アルゴリズムは複数の形態で機能し、「プラス５かつモジュロ２」は１例として使用されるにすぎない。当然、他のアルゴリズムを使用してもよい。本実施形態の実施形態では、当該形態について限定を設けない。
【００６０】
本実施形態では、全ての基地局またはＲＮＣが同一のマッピング関係またはマッピング・アルゴリズムを使用することを求めてもよい。当該マッピング関係またはマッピング・アルゴリズムは、固定であってもよく、または、ＯＡＭによって定期的に構成し置き換えてもよい。
【００６１】
本実施形態で提供した方法では、ＴＣＥアドレスとＴＣＥ識別子の間のマッピング関係を取得することによって、および、ＵＥによって報告されたＭＤＴレポートに含まれるＴＣＥ識別子に従って、対応するＴＣＥアドレスが取得され、ＭＤＴレポートが当該ＴＣＥアドレスに対応するＴＣＥに送信される。測定中は、ＴＣＥの実際のネットワーク・アドレスをＵＥに送信する必要はなく、これにより、安全性が向上し、ＴＣＥのＩＰアドレスをＵＥに送信するときの先行技術におけるＭＤＴ測定の危険性問題が解決される。当該方法は単純で、好便で、実装が容易であり、かつ、ネットワークの信号のやり取りとネットワーク処理の複雑性を軽減するものである。
実施形態３
【００６２】
図４を参照すると、本実施形態は、ドライブ・テストを最小化するための測定装置を提供する。当該測定装置は、受信ユニット４０１、取得ユニット４０２、および送信ユニット４０３を備える。受信ユニット４０１は、ユーザ機器が報告したドライブ・テスト最小化ＭＤＴレポートを受信するように構成され、当該ＭＤＴレポートはトレース制御エンティティＴＣＥ識別子を含む。取得ユニット４０２は、ＴＣＥアドレスとＴＣＥ識別子の間のマッピング関係またはＴＣＥアドレスとＴＣＥ識別子の間のマッピング・アルゴリズムに従って当該ＴＣＥ識別子に対応するＴＣＥアドレスを取得するように構成される。送信ユニット４０３はＭＤＴレポートを当該ＴＣＥアドレスに対応するＴＣＥに送信するように構成される。
【００６３】
本実施形態では、取得ユニット４０２はさらに、ＴＣＥアドレスとＴＣＥ識別子の間のマッピング関係またはＴＣＥアドレスとＴＣＥ識別子の間のマッピング・アルゴリズムを取得するように構成される。
【００６４】
場合によっては、送信ユニット４０３はさらに、ＴＣＥ識別子をユーザ機器に送信するように構成される。
【００６５】
場合によっては、取得ユニット４０２が、第１の取得サブユニットまたは第２の取得サブユニットを備えてもよい。第１の取得サブユニットは、ＴＣＥアドレスとＴＣＥ識別子の間のマッピング関係を基地局またはセルの属性名付きＴＣＥのＩＰアドレス情報リストから取得するように構成され、第２の取得サブユニットは、ＴＣＥアドレスとＴＣＥ識別子の間のマッピング関係をサブネットワークの属性名付きＴＣＥのＩＰアドレス・マッピング情報リストから取得するように構成される。
【００６６】
場合によっては、取得ユニット４０２はさらに、第３の取得サブユニットまたは第４の取得サブユニットを備えてもよい。第３の取得サブユニットは、要素マネージャＥＭが送信した、ＴＣＥアドレスとＴＣＥ識別子の間のマッピング関係またはＴＣＥアドレスとＴＣＥ識別子の間のマッピング・アルゴリズムを受信するように構成され、第４の取得サブユニットは、当該装置により格納された、ＴＣＥアドレスとＴＣＥ識別子の間のマッピング関係またはＴＣＥアドレスとＴＣＥ識別子の間のマッピング・アルゴリズムを読み取るように構成される。
【００６７】
第３の取得サブユニットに関わるマッピング関係またはマッピング・アルゴリズムは、北向きインタフェースＩｔｆ−Ｎを介してネットワーク・マネージャＮＭから取得される。
【００６８】
本実施形態では、ドライブ・テストを最小化するための測定装置は、具体的には、ネットワーク側のアクセス・ネットワーク機器であってもよく、ＬＴＥシステムにおけるｅＮＢまたはＲＮＣのような基地局または基地局制御装置を含んでもよい。上記方法の実施形態のうち何れかにおける方法を当該装置で実装してもよい。具体的な実装プロセスの詳細は上記方法の実施形態で言及されており、ここでは再び繰り返すことはしない。
【００６９】
本発明の実施形態はさらに、ドライブ・テストを最小化するための測定システムを提供し、上述の実施形態における実装方式の何れか１つにおける、ドライブ・テストを最小化するための測定装置を含む。
【００７０】
本発明の実施形態で提供した装置およびシステムでは、ＴＣＥアドレスとＴＣＥ識別子の間のマッピング関係を取得することによって、および、ＵＥによって報告されたＭＤＴレポートに含まれるＴＣＥ識別子に従って、対応するＴＣＥアドレスが取得され、ＭＤＴレポートが当該ＴＣＥアドレスに対応するＴＣＥに送信される。測定中は、ＴＣＥの実際のネットワーク・アドレスをＵＥに送信する必要はなく、これにより、安全性が向上し、ＴＣＥのＩＰアドレスをＵＥに送信するときの先行技術におけるＭＤＴ測定の危険性問題が解決される。当該装置およびシステムは単純で、好便で、実装が容易であり、かつ、ネットワークの信号のやり取りとネットワーク処理の複雑性を軽減するものである。
【００７１】
最後に、諸実施形態の方法のプロセスの全部または一部をコンピュータ・プログラムが指示する関連ハードウェアによって実装してもよいことは当業者には理解されよう。当該プログラムをコンピュータ読取可能記憶媒体に格納してもよい。プログラムが実行されているときに、諸実施形態の方法のプロセスが実施される。当該記憶媒体が、磁気ディスク、光ディスク、ＲＯＭ（ｒｅａｄ−ｏｎｌｙ  ｍｅｍｏｒｙ）またはＲＡＭ（ｒａｎｄｏｍ  ａｃｃｅｓｓ  ｍｅｍｏｒｙ）、等であってもよい。
【００７２】
本発明の諸実施形態における機能ユニットを処理ジュールに統合してもよく、ユニットの各々が物理的に単体で存在してもよく、複数のユニットを１つのモジュールに統合してもよい。統合されたモジュールを、ハードウェアの形で、または、ソフトウェア機能モジュールの形で実装してもよい。統合されたモジュールをソフトウェア機能モジュールの形で実装し、独立な製品として販売または使用する場合は、当該統合されたモジュールをコンピュータ読取可能記憶媒体に格納してもよい。当該記憶媒体は、読取専用メモリ、磁気ディスク、光ディスク、等であってもよい。上述の装置およびシステムが、対応する方法の実施形態で説明した方法を実施してもよい。
【００７３】
以上の説明は、本発明の例示的な実施形態にすぎず、本発明を限定しようとするものではない。本発明の趣旨と原理から導かれる任意の修正、均等な置換、または改良は、本発明の保護範囲に入るものとする。
【符号の説明】
【００７４】
４０１  受信ユニット
４０２  取得ユニット
４０３  送信ユニット
【図１】
0005571857.tif 000008
【図２】
0005571857.tif 000009
【図３】
0005571857.tif 000010
【図４】
0005571857.tif 000011